(57)【要約】【課題】自然水を媒体として、地熱エネルギ−を吸収した冷媒水を冷房用熱交換器との間で循環させて、冷房を行う再生可能エネルギ−を提供する。【解決手段】地中に貯水容器を複数設け自然水を媒体として貯え、一定時間保存して恒温な地中熱との間で熱交換することにより出来る冷房可能な冷媒水を冷房用熱交換器との間で循環させて、前記熱交換器で発生させた冷風にて冷房をおこない、継続して使用できる再生可能なエネルギ−である。【選択図】図３
2011117638.tif 000002
【特許請求の範囲】
【請求項１】
自然水を媒体として、恒温帯の地中熱との間で熱交換を行うことにより発生する冷媒水の循環システムに於いて、前記冷媒水を貯えた複数の貯水容器の内一基を空の貯水容器とし、前記冷媒水を順次冷房用熱交換器へ送水して、熱交換した後の冷媒還水を前記空の貯水容器へ貯水することにより、混合しない恒温な前記冷媒水を直接循環する事が可能で、前記冷房用熱交換器で発生させた冷風にて、冷房を行うものであり、この一連の動作を一日の循環サイクルとして、終了から翌日の開始迄を保存時間とし、地中熱と自然水との間で熱交換を行う事により発生する前記冷媒水を継続して使用するように構成されていることを特徴とする地熱循環冷房システム。
【請求項２】
自然水を媒体として、恒温帯の地中熱との間で熱交換を行うことにより発生する冷媒水の循環システムに於いて、前記冷媒水を貯えた複数の貯水容器の内一基を空の貯水容器とし、前記冷媒水を順次冷房用熱交換器へ送水して、熱交換した後の冷媒還水を前記空の貯水容器へ貯水することにより、混合しない恒温な前記冷媒水を直接循環する事が可能で、且つ、前記冷媒水の循環移動に伴い前記貯水容器内の水位変動により生ずる空気層と、前記空の貯水容器の空間へ外気もしくは室内空気を均等に送風し、地中熱との間で熱交換を行う事により発生する冷気を、前記冷房用熱交換器へ送風し防臭処理を施した冷気を、前記冷房用熱交換器と前記冷媒水とで熱交換を行う事により発生する冷風とで混合して、冷房を行うように構成されていることを特徴とする地熱循環冷房システム。
【請求項３】
循環用の２重冷媒配管の往管と前記２重冷媒配管の還り管には、内部に冷媒水を循環するための冷媒送水管と冷媒還水管が備えられ、外層部は、貯水容器内の冷気を循環する冷気送風管と冷気還気管の２重配管構造で構成されていることを特徴とする請求項１又は、請求項２記載の地熱循環冷房システム。
【発明の詳細な説明】
【技術分野】
【０００１】本発明は、地下に設けた複数の貯水容器に自然水を貯え一定時間保存して、地中熱との間で熱交換することにより発生する冷媒水を冷房用熱交換器との間で循環させて、前記熱交換器で発生させた冷風にて冷房を行い、継続して使用出来るように構成した地熱循環冷房システムに関する。
【背景技術】
【０００２】従来の地中熱冷房装置には、地中に埋設した鋼管杭内に冷媒液を貯えその中に密閉型の熱伝導体パイプを沈設して更に、ベタ基礎コンクリ−ト層中に至る範囲で循環液路が形成されて、前記パイプ内の液体を循環して、前記鋼管杭内の冷媒液との間で熱交換を行う事により発生する冷熱媒液の熱をコンクリ−ト層に伝熱する装置を施したものがある（特許文献１参照。）。また、水熱源ヒ−トポンプ用の（水対水）熱交換器の一次側熱原水として地下水を採取するための抽出井を設け井水ポンプにて、前記熱交換器へ循環するシステムを設けたものがある（例えば特許文献２参照。）。また、本願出願人は先に提案した地下に貯水された自然水を地中熱とで熱交換して発生した冷水を熱交換器との間で直接循環する地下貯水式冷房システム（例えば特許文献３参照。）。
【先行技術文献】
【特許文献】
【０００３】
【特許文献１】  特開２００６−０１００９８号公報
【特許文献２】  特開２００８−３０９３８２号公報
【特許文献３】  特願２００９−０９３４３２号
【発明の概要】
【発明が解決しようとする課題】
【０００４】（特許文献１）この方式は、地中に埋設した容器に流体を貯え地中熱との間で熱交換して、出来る冷熱媒液の内部に、媒体を有した循環パイプを導入しポンプにて循環して、前記冷熱媒液とで熱交換を行う事により出来る２次的な冷熱媒液を冷暖房の一部に使用もので、限定された容器内の前記冷熱媒液とで熱交換（熱移動）を行うため、容器内の温度は次第に上昇（冷房時）又は、下降（暖房時）して熱交換率が低下して、熱源としての効果を損ない、その後一定時間保存しないと所定の温度の冷熱媒液は出来ない。【０００５】（特許文献２）この方式は、地下水を抽出して、ヒ−トポンプ用の熱交換器の一次側熱原水として用い、使用後は元の地下水脈に戻すものであるが地下水の枯渇や衛生上を鑑みると環境に問題があり又、コストが高くなる。【０００６】（特許文献３）本願出願人の提案した地下貯水式冷房システムは、地域により地中恒温帯の温度に差があり地中熱との、熱交換により発生する冷媒水温の高い地域では冷房効率が低下する。
【課題を解決するための手段】
【０００７】上記の課題を解決すべく、本発明は以下の構成を提供する。
請求項１に係る発明は自然水を媒体として、恒温帯の地中熱との間で熱交換を行うことにより発生する冷媒水の循環システムに於いて、前記冷媒水を貯えた複数の貯水容器の内一基を空の貯水容器とし、前記貯水容器内の前記冷媒水を順次冷房用熱交換器へ送水して、熱交換した後の冷媒還水を前記空の貯水容器へ貯水することにより、混合しない恒温な前記冷媒水を直接循環する事が可能で、前記冷房用熱交換器で発生させた冷風にて、熱効率の良い冷房を行うものであり、この一連の動作を一日の循環サイクルとして、終了から翌日の開始迄を保存時間とし、地中熱と自然水との間で熱交換を行う事により発生する冷媒水を再生可能エネルギ−として使用するように構成されていることを特徴とする熱循環冷房システムを提共するものである。【０００８】請求項２に係る発明は、自然水を媒体として、恒温な地中熱との間で熱交換を行うことにより発生する冷媒水の循環システムに於いて、前記冷媒水を貯えた複数の貯水容器の内一基を空の貯水容器とし、前記貯水容器内の前記冷媒水を順次冷房用熱交換器へ送水して、熱交換した後の冷媒還水を前記空の貯水容器へ貯水することにより、混合しない恒温な前記冷媒水を直接循環する事が可能で、且つ、前記冷媒水の循環移動に伴い前記貯水容器内の水位変動により生ずる空気槽と、前記空の貯水容器の空間へ外気もしくは室内空気を送風して、地中熱との間で熱交換することにより発生する冷気を、冷媒水と併用して前記冷房用熱交換器へ送風及び送水して発生させた冷風に防臭処理を施した後に、混合させ熱効率の良い冷房を行うように構成されていることを特徴とする地熱循環冷房システムを提供するものである。【０００９】請求項３に係る発明は、循環用の２重冷媒配管の往管と前記２重冷媒還の還り管には、内部に冷媒水を循環するための冷媒送水管と冷媒還水管で、外層部は貯水容器内の冷気を循環する冷気送風管と冷気還気管の２重配管構造で構成されている事を特徴とする請求項１又請求項２記載の地熱循環冷防システムを提供するものである。
【発明の効果】
【００１０】本発明の請求項１記載の発明によれば、自然水を媒体として、恒温帯の地中熱との間で熱交換を行うことにより発生する冷媒水の循環システムに於いて、前記冷媒水を貯えた複数の貯水容器の内一基を空の貯水容器とし、前記貯水容器内の前記冷媒水を、順次冷房用熱交換器へ送水して、熱交換した後の冷媒還水を前記空の貯水容器へ貯水することにより、混合しない恒温な冷媒水を直接循環する事が可能で、前記冷房用熱交換器で発生させた冷風にて、熱効率の良い冷房を行うものであり、この一連の動作を一日の循環サイクルとして、終了から翌日の開始迄を保存時間として、地中熱と自然水との間で熱交換を行う事により発生する前記冷媒水を再生可能なエネルギ−として使用し継続するように構成されている、省エネで低コストを提供するシステムである。【００１１】請求項２記載の発明によれば、自然水を媒体として、恒温帯の地中熱との間で熱交換を行うことにより発生する冷媒水の循環システムに於いて、前記冷媒水を貯えた複数の貯水容器の内一基を空の貯水容器とし、前記貯水容器内の前記冷媒水を順次冷房用熱交換器へ送水して、熱交換した後の冷媒還水を前記空の貯水容器へ貯水することにより、混合しない恒温な冷媒水を直接循環する事が可能で、且つ、前記冷媒水の循環移動に伴い前記貯水容器内の水位変動により生ずる空気層と、前記空の貯水容器の空間へ外気もしくは室内空気を均等に送風して、地中熱との間で熱交換する事により出来る冷気を、前記冷媒水と併用して前記冷房用熱交換器へ送風及び送水して、発生させた冷風に防臭処理を施した後に混合させて、熱効率の良い冷房を行うように構成されているので、冷気循環冷房のみで夜間冷房を行う事や、中間期の冷房に使用する事が可能な、省エネで低コストを提供するシステムである。【００１２】請求項３記載の発明によれば、循環用の２重冷媒配管の往管と前記２重冷媒配管の還り管には、内部に冷媒水を循環するための冷媒送水管と冷媒還水管が備えられ、外層部は、貯水容器内の冷気を循環する冷気送風管と冷気還気管の２重配管構造で構成されているので、断熱及び結露防止効果があり、施工スペスが小さく低コストである。
【図面の簡単な説明】
【００１３】
【図１】本件発明の実施形態を示す地熱循環冷房システムの概略構成図  請求項１記載内容説明図
【図２】本件発明の実施形態を示す地熱循環冷房システムの概略構成図  請求項２記載内容説明図
【図３】本件発明の地熱循環システムの冷媒水循環システム説明図  請求項１、及び請求項２記載内容説明図  （Ａ）は、冷房終了から開始までの自然水又は、冷媒還水の保存時間で地熱との間で熱吸収し冷房用冷媒水をつくる。又、空の貯水容器へ雨水を溜める。（Ｂ）は、貯水容器１より冷媒用熱交換器５へ送水し熱交換後貯水容器３へ戻るシステムの循環説明。（Ｃ）は、貯水容器２より冷媒用熱交換器５へ送水し熱交換後貯水容器１へ戻るシステムの循環説明。（Ｄ）は、貯水容器３より冷媒用熱交換器５へ送水し熱交換後貯水容器２へ戻るシステムの循環説明。
【図４】本件発明の実施形態を示す地熱循環冷房システムの貯水容器内の縦断面図及び、２重冷媒配管の一部詳細図  請求項３記載内容説明図
【発明を実施するための最良の形態】
【００１４】実施形態を示す図１と冷媒水循環システム説明図３、とを参照して説明すると、地中に冷房能力に応じた貯水容器、１、貯水容器２、貯水容器３、の３基を設置したとして自然水である雨水を雨水集合桝１７、へ集水して、雨水管１８、を介して貯水容器３、へ貯水し、満水になると循環ポンプ４で吸い上げ貯水容器２、から１、の順に送水し、貯水容器２、１を満水に、且つ、貯水容器３、は空にして、一定時間保存し地中熱との間で熱交換することにより出来る冷媒水を貯えた貯水容器１、より循環ポンプ４、にて吸い上げ冷媒送水管９、を介して、冷房用熱交換器５、へ送水され熱交換後の冷媒還水は、冷媒還水管１０、を介して空である貯水容器３、へ貯水される、これを図３、（Ａ）と（Ｂ）の説明とする。【００１５】次に、貯水容器２、の冷媒水を循環ポンプ４、にて吸い上げ、冷媒送水管９、を介して冷房用熱交換器５、へ送水され、熱交換後の冷媒還水は、冷媒還水管１０、を介して空いた貯水タンク１、へ貯水される、これを図３、（Ｃ）の説明とする。【００１６】次に、はじめに貯水タンク１、より貯水タンク３、へ移動した冷媒還水は一定時間の保存時間が経過し、地中熱と冷媒還水との間で熱交換されて冷媒水となり貯水容器３から循環ポンプ４、にて吸い上げ、冷媒送水管９、を介して冷房用熱交換器５へ送水され、熱交換後の冷媒還水は、冷媒還水管１０、を介して空いた貯水タンク２、へ貯水する、これを図３、（Ｄ）の説明とする。【００１７】また、この制御は貯水タンク内に設けた水位感知器８、で満水及び渇水の水位を感知して、自動制御盤６、を経由して、冷媒送水管９、及び冷媒還水管１０、のシステム間に設けた電動弁７、を開閉して自動切り替え制御を行う。【００１８】設置貯水容器１，２，３、分の循環が終ると一日の循環サイクルが終了して翌日の冷房開始までの時間を保存時間として、地中熱と自然水（冷媒還水）との間で熱換を行う事により発生する冷媒水を再使用して冷房を開始する。又、夜間は貯水容器３が空となっていて、自然水である雨水が降ると貯水容器３、に集水し、翌日の冷房時に発生する冷媒還水と混合させて、貯水容器への補給水にする。【００１９】実施形態を示す図面２、と２重冷媒配管の一部詳細図の図４を参照して説明すると、冷媒送水管９、及び冷媒還水管１０、を配管内部に、又、冷気送風管１１、及び冷気還気管１２、を外層部とした２重配管構造で構成され、且つ、同一ル−トで配管し、貯水容器１，２，３、の冷媒水の水位変動と空の貯水容器の空気層を地中熱とで熱交換して発生した冷気を、送風機１５と２重冷媒配管（往）１３、の冷気送風管１１、を介し冷房用熱交換器５、へ送風される。又、冷水コイル手前には、脱臭フィルタ−１６を設け、貯水容器内の臭気を削除した後に、冷房用熱交換器５の冷水コイルから発生する冷風と混合して、効率の良い冷房を行うものであり、室内の還気（リタン）は均等に貯水容器の１、２、３、へ、還気する。又、２重冷媒配管は断熱及び結露防止効果があり、施工スペ−スが小さくできる。【００２０】また、夜間や中間期の冷房は冷気循環冷房を使用する。
【符号の説明】
【００２１】  １    貯水容器
２    貯水容器、
３    貯水容器、
４    循環ポンプ
５    冷房用熱交換器  （ファンコイルユニット）
６    自動制御盤
７    電動弁
８    水位感知器
９    冷媒送水管
１０    冷媒還水管
１１    冷気送風管
１２    冷気還気管
１３    ２重冷媒配管（往）
１４    ２重冷媒配管（還）
１５    送風機
１６    脱臭フィルタ−
１７    雨水集合桝
１８    雨水管
１９    ドレン管
２０    フ−ト弁
ア    空気吸込穴
【図１】
2011117638.tif 000003
【図２】
2011117638.tif 000004
【図３】
2011117638.tif 000005
【図４】
2011117638.tif 000006
【手続補正書】
【提出日】平成22年3月15日(2010.3.15)
【手続補正１】
【補正対象書類名】明細書
【補正対象項目名】全文
【補正方法】変更
【補正の内容】
【発明の詳細な説明】
【技術分野】
【０００１】本発明は、地下に設けた複数の貯水容器に自然水を貯え一定時間保存して、地中熱との間で熱交換することにより発生する冷媒水を冷房用熱交換器との間で循環させて、前記熱交換器で発生させた冷風にて冷房を行い、継続して使用出来るように構成した地熱循環冷房システムに関する。
【背景技術】
【０００２】従来の地中熱冷房装置には、地中に埋設した鋼管杭内に冷媒液を貯えその中に密閉型の熱伝導体パイプを沈設して更に、ベタ基礎コンクリ−ト層中に至る範囲で循環液路が形成されて、前記パイプ内の液体を循環して、前記鋼管杭内の冷媒液との間で熱交換を行う事により発生する冷熱媒液の熱をコンクリ−ト層に伝熱する装置を施したものがある（特許文献１参照。）。また、水熱源ヒ−トポンプ用の（水対水）熱交換器の一次側熱原水として地下水を採取するための抽出井を設け井水ポンプにて、前記熱交換器へ循環するシステムを設けたものがある（例えば特許文献２参照。）。また、本願出願人は先に提案した地下に貯水された自然水を地中熱とで熱交換して発生した冷水を熱交換器との間で直接循環する地下貯水式冷房システム（例えば特許文献３参照。）。
【先行技術文献】
【特許文献】
【０００３】
【特許文献１】特開２００６−０１００９８号公報
【特許文献２】特開２００８−３０９３８２号公報
【特許文献３】特願２００９−０９３４３２号
【発明の概要】
【発明が解決しようとする課題】
【０００４】（特許文献１）この方式は、地中に埋設した容器に流体を貯え地中熱との間で熱交換して、出来る冷熱媒液の内部に、媒体を有した循環パイプを導入しポンプにて循環して、前記冷熱媒液とで熱交換を行う事により出来る２次的な冷熱媒液を冷暖房の一部に使用するもので、限定された容器内の前記冷熱媒液とで熱交換（熱移動）を行うため、容器内の温度は次第に上昇（冷房時）又は、下降（暖房時）して熱交換率  が低下して、熱源としての効果を損ない、その後一定時間保存しないと所定温度の冷熱媒液は出来ない。【０００５】（特許文献２）この方式は、地下水を抽出して、ヒ−トポンプ用の熱交換器の一次側熱原水として用い、使用後は元の地下水脈に戻すものであるが地下水の枯渇や衛生上を鑑みると環境に問題があり又、コストが高くなる。【０００６】（特許文献３）本願出願人の提案した地下貯水式冷房システムは、地域により地中恒温帯の温度に差があり、地中熱と熱交換することにより発生する冷媒水温の高い地域では冷房効率が低下する。
【課題を解決するための手段】
【０００７】上記の課題を解決すべく、本発明は以下の構成を提供する。
請求項１に係る発明は、自然水を媒体として、恒温な地中熱との間で熱交換を行うことにより発生する冷媒水の循環システムに於いて、前記冷媒水を貯えた複数の貯水容器の内一基を空の貯水容器とし、前記貯水容器内の前記冷媒水を順次冷房用熱交換器へ送水して、熱交換した後の冷媒還水を前記空の貯水容器へ貯水することにより、混合しない恒温な前記冷媒水を直接循環する事が可能で、且つ、前記冷媒水の循環移動に伴い前記貯水容器内の水位変動により生ずる空気槽と、前記空の貯水容器の空間へ外気もしくは室内空気を送風して、地中熱との間で熱交換することにより発生する冷気を、冷媒水と併用して前記冷房用熱交換器へ送風及び送水して発生させた冷風に防臭処理を施した後に、混合させ熱効率の良い冷房を行うように構成されていることを特徴とする地熱循環冷房システムを提供するものである。【０００８】請求項２に係る発明は、循環用の２重冷媒配管の往管と前記２重冷媒還の還り管には、内部に冷媒水を循環するための冷媒送水管と冷媒還水管で、外層部は貯水容器内の冷気を循環する冷気送風管と冷気還気管の２重配管構造で構成されている事を特徴とする請求項１又請求項２記載の地熱循環冷房システムを提供するものである。
【発明の効果】
【０００９】請求項１記載の発明によれば、自然水を媒体として、恒温帯の地中熱との間で熱交換を行うことにより発生する冷媒水の循環システムに於いて、前記冷媒水を貯えた複数の貯水容器の内一基を空の貯水容器とし、前記貯水容器内の前記冷媒水を順次冷房用熱交換器へ送水して、熱交換した後の冷媒還水を前記空の貯水容器へ貯水することにより、混合しない恒温な冷媒水を直接循環する事が可能で、且つ、前記冷媒水の循環移動に伴い前記貯水容器内の水位変動により生ずる空気層と、前記空の貯水容器の空間へ外気もしくは室内空気を均等に送風して、地中熱との間で熱交換する事により出来る冷気を、前記冷媒水と併用して前記冷房用熱交換器へ送風及び送水して、発生させた冷風に防臭処理を施した後に混合させて、熱効率の良い冷房を行うように構成されているので、冷気循環冷房のみで夜間冷房を行う事や、中間期の冷房に使用する事が可能な、省エネで低コストを提供するシステムである。【００１０】請求項２記載の発明によれば、循環用の２重冷媒配管の往管と前記２重冷媒配管の還り管には、内部に冷媒水を循環するための冷媒送水管と冷媒還水管が備えられ、外層部は、貯水容器内の冷気を循環する冷気送風管と冷気還気管の２重配管構造で構成されている。
【図面の簡単な説明】
【００１１】
【図１】本件発明の実施形態を示す地熱循環冷房システムの概略構成図  請求項１記載内容説明図（冷媒水の循環システムを示す）
【図２】本件発明の実施形態を示す地熱循環冷房システムの概略構成図  請求項１記載内容説明図
【図３】本件発明の地熱循環システムの冷媒水循環システム説明図  請求項１記載内容説明図  （Ａ）は、冷房終了から開始までの自然水又は、冷媒還水の保存時間で地熱との間で熱を吸収して冷房用冷媒水をつくる。又、空の貯水容器へ雨水を溜める。（Ｂ）は、貯水容器１より冷媒用熱交換器５へ送水し熱交換後貯水容器３へ戻るシステムの循環説明。（Ｃ）は、貯水容器２より冷媒用熱交換器５へ送水し熱交換後貯水容器１へ戻るシステムの循環説明。（Ｄ）は、貯水容器３より冷媒用熱交換器５へ送水し熱交換後貯水容器２へ戻るシステムの循環説明。
【図４】本件発明の実施形態を示す地熱循環冷房システムの貯水容器内の縦断面図及び、２重冷媒配管の一部詳細図  請求項２記載内容説明図
【発明を実施するための最良の形態】
【００１２】実施形態を示す図１と冷媒水循環システム説明図３、とを参照して説明すると、地中に冷房能力に応じた貯水容器、１、貯水容器２、貯水容器３、の３基を設置したとして自然水である雨水を雨水集合桝１７、へ集水して、雨水管１８、を介して貯水容器３、へ貯水し、満水になると循環ポンプ４で吸い上げ貯水容器２、から１、の順に送水し、貯水容器２、１を満水に、且つ、貯水容器３、は空にして、一定時間保存し地中熱との間で熱交換することにより出来る冷媒水を貯えた貯水容器１、より循環ポンプ４、にて吸い上げ冷媒送水管９、を介して、冷房用熱交換器５、へ送水され熱交換後の冷媒還水は、冷媒還水管１０、を介して空である貯水容器３、へ貯水される、これを図３、（Ａ）と（Ｂ）の説明とする。【００１３】次に、貯水容器２、の冷媒水を循環ポンプ４、にて吸い上げ、冷媒送水管９、を介して冷房用熱交換器５、へ送水され、熱交換後の冷媒還水は、冷媒還水管１０、を介して空いた貯水タンク１、へ貯水される、これを図３、（Ｃ）の説明とする。【００１４】次に、はじめに貯水タンク１、より貯水タンク３、へ移動した冷媒還水は一定時間の保存時間が経過し、地中熱と冷媒還水との間で熱交換されて冷媒水となり貯水容器３から循環ポンプ４、にて吸い上げ、冷媒送水管９、を介して冷房用熱交換器５へ送水され、熱交換後の冷媒還水は、冷媒還水管１０、を介して空いた貯水タンク２、へ貯水する、これを図３、（Ｄ）の説明とする。【００１５】また、この制御は貯水タンク内に設けた水位感知器８、で満水及び渇水の水位を感知して、自動制御盤６、を経由して、冷媒送水管９、及び冷媒還水管１０、のシステム間に設けた電動弁７、を開閉して自動切り替え制御を行う。【００１６】設置貯水容器１，２，３、分の循環が終ると一日の循環サイクルが終了して翌日の冷房開始までの時間を保存時間として、地中熱と自然水（冷媒還水）との間で熱交換を行う事により発生する冷媒水を再使用して冷房を開始する。又、夜間は貯水容器３が空となっていて、自然水である雨水が降ると貯水容器３、に集水し、翌日の冷房時に発生する冷媒還水と混合させて、貯水容器への補給水にする。【００１７】実施形態を示す図面２、と２重冷媒配管の一部詳細図の図４を参照して説明すると、冷媒送水管９、及び冷媒還水管１０、を配管内部に、又、冷気送風管１１、及び冷気還気管１２、を外層部とした２重配管構造で構成され、且つ、同一ル−トで配管し、貯水容器１，２，３、の冷媒水の水位変動と空の貯水容器の空気層を地中熱とで熱交換して発生した冷気を、送風機１５と２重冷媒配管（往）１３、の冷気送風管１１、を介し冷房用熱交換器５、へ送風される。又、冷水コイル手前には、脱臭フィルタ−１６を設け、貯水容器内の臭気を削除した後に、冷房用熱交換器５の冷水コイルから発生する冷風と混合して、効率の良い冷房を行うものであり、室内の還気（リタン）は均等に貯水容器の１、２、３、へ、還気する。【００１８】また、夜間や中間期の冷房は冷気循環冷房を使用する。
【符号の説明】
【００１９】  １    貯水容器
２    貯水容器、
３    貯水容器、
４    循環ポンプ
５    冷房用熱交換器（ファンコイルユニット）
６    自動制御盤
７    電動弁
８    水位感知器
９    冷媒送水管
１０    冷媒還水管
１１    冷気送風管
１２    冷気還気管
１３    ２重冷媒配管（往）
１４    ２重冷媒配管（還）
１５    送風機
１６    脱臭フィルタ−
１７    雨水集合桝
１８    雨水管
１９    ドレン管
２０    フ−ト弁
ア    空気吸込穴
【手続補正２】
【補正対象書類名】特許請求の範囲
【補正対象項目名】全文
【補正方法】変更
【補正の内容】
【特許請求の範囲】
【請求項１】
自然水を媒体として、恒温帯の地中熱との間で熱交換を行うことにより発生する冷媒水の循環システムに於いて、前記冷媒水を貯えた複数の貯水容器の内一基を空の貯水容器とし、前記冷媒水を順次冷房用熱交換器へ送水して、熱交換した後の冷媒還水を前記空の貯水容器へ貯水することにより、混合しない恒温な前記冷媒水を直接循環する事が可能で、且つ、前記冷媒水の循環移動に伴い前記貯水容器内の水位変動により生ずる空気層と、前記空の貯水容器の空間へ外気もしくは室内空気を均等に送風し、地中熱との間で熱交換を行う事により発生する冷気を、前記冷房用熱交換器へ送風し防臭処理を施した後に、前記冷房用熱交換器と前記冷媒水とで熱交換を行う事により発生する冷風とで混合して、冷房を行うように構成されていることを特徴とする地熱循環冷房システム。
【請求項２】
循環用の２重冷媒配管の往管と前記２重冷媒配管の還り管には、内部に冷媒水を循環するための冷媒送水管と冷媒還水管が備えられ、外層部は、貯水容器内の冷気を循環する冷気送風管と冷気還気管の２重配管構造で構成されていることを特徴とする請求項１、記載の地熱循環冷房システム。